(57)【要約】【課題】  食べ物や飲み物のガラスやプラスティックの容器の表面にラベルとして貼付しても、容易に剥離することができること。【解決手段】  粘着タックシート本体１を、商品名、該商品を提供する自社の会社名、住所、内容、取り扱いの説明等を表面に記載したラベルとしてのシート２と、このシート２の裏面に略全面にわたって再剥離強粘性の粘着剤をコーティングした粘着剤層３と、この粘着剤層３に再剥離、再接着自在に貼合されている剥離紙４とで構成する。粘着タックシート本体１の裏面は、裏面の全面が容器８に接着されているのではなく、粘着タックシート本体１の裏面の周縁部には剥離紙４のエッジ部６が浮いた状態で貼付されている。このエッジ部６を利用して粘着タックシート本体１を容器８の表面から容易に剥がすことができる。粘着剤層３は再剥離可能な粘着剤を用いているので、容器８の表面に粘着剤を残すことがない。【選択図】        図６
2006077182.tif 000002
【特許請求の範囲】
【請求項１】
紙またはフィルムからなるシートと、このシートの裏面の略全面にわたって再剥離強粘性の粘着剤がコーティングされた粘着剤層と、この粘着剤層に貼合されている再剥離可能な剥離紙とで粘着タックシート本体を構成し、
前記粘着タックシート本体の周縁部の一部を残して前記剥離紙が剥離可能に切り込み線を入れていることを特徴とする粘着タックシート。
【請求項２】
紙またはフィルムからなるシートと、このシートの裏面の略全面にわたって再剥離強粘性の粘着剤がコーティングされた粘着剤層と、この粘着剤層に貼合されている再剥離可能な剥離紙とで粘着タックシート本体を構成し、
前記粘着タックシート本体の周縁を残して前記剥離紙が剥離可能に切り込み線を入れ、この切り込み線の外側の周縁部をエッジ部とし、該エッジ部の幅を３〜５ｍｍとしていることを特徴とする粘着タックシート。
【請求項３】
前記請求項１または請求項２で形成された粘着タックシート本体（１）は、シート（２）、粘着剤層（３）及び剥離紙（４）で構成され、
前記剥離紙（４）の切り込み線（５）の外側のエッジ部（６）を残して剥離紙（４）を剥離した前記粘着タックシート本体（１）を、容器（８）の表面に粘着剤層（３）を介してラベルとして剥離自在に貼付していることを特徴とする粘着タックシート。
【請求項４】
前記請求項１または請求項２で形成された粘着タックシート本体（１１）は、シート（１２）、粘着剤層（１３）及び剥離紙（１４）とで構成され、
前記剥離紙（１４）の中央線（１５）の両側に該剥離紙（１４）の周縁部より内側に該周縁部に沿って切り込み線（１７）をそれぞれ入れると共に、前記切り込み線（１７）の端部間をミシン目（１６）にて接続し、
前記両切り込み線（１７）の外側の剥離紙（１４）の周縁部をエッジ部（２０）とし、
前記エッジ部（２０）を残して剥離紙（１４）を切り込み線（１７）より再剥離、再接着可能としていることを特徴とする粘着タックシート。
【請求項５】
前記粘着タックシート本体（１１）の大きさは手のひらサイズとすると共に、前記中央線（１５）にて折り曲げ自在とし、該粘着タックシート本体（１１）の形状は、略円形あるいは四角形状としていることを特徴とする請求項４に記載の粘着タックシート。
【請求項６】
前記請求項１または請求項２で形成された粘着タックシート本体（４１）は、シート（４２）、粘着剤層（４３）及び剥離紙（４４）とで構成され、
前記剥離紙（４４）の周縁部より内側に該周縁部に沿って切り込み線（４５）を入れると共に、該切り込み線（４５）の端部間をミシン目（４６）にて接続し、
前記切り込み線（４５）の外側の剥離紙（４４）の周縁部をエッジ部（４７）とし、
前記エッジ部（４７）を残して剥離紙（４４）を切り込み線（４５）より再剥離、再接着可能とし、
顔の皮脂を吸収するあぶらとり紙（３２）を多数枚で構成した冊子状のあぶらとり紙本体（３１）の表表紙（３３）あるいは裏表紙（３４）の少なくともいずれか一方に前記粘着タックシート本体（４１）を用いていることを特徴とする粘着タックシート。
【請求項７】
前記請求項１または請求項２で形成された粘着タックシート本体（６１）は、シート、粘着剤層及び剥離紙（６４）とで構成され、
前記剥離紙（６４）の周縁部より内側に該周縁部に沿って切り込み線（６５）を入れると共に、該切り込み線（６５）の端部間をミシン目（６６）にて接続し、
前記切り込み線（６５）の外側の剥離紙（６４）の周縁部をエッジ部（６７）とし、
前記エッジ部（６７）を残して剥離紙（６４）を切り込み線（６５）より再剥離、再接着可能とし、
メモ帳（５１）の表表紙（５２）あるいは裏表紙の少なくともいずれか一方に前記粘着タックシート本体（６１）を用いていることを特徴とする粘着タックシート。
【請求項８】
前記請求項１または請求項２で形成された粘着タックシート本体（８１）は、シート（８２）、粘着剤層（８３）及び剥離紙（８４）とで構成され、
前記剥離紙（８４）の周縁部より内側に該周縁部に沿って切り込み線（８５）を入れると共に、該切り込み線（８５）の端部間をミシン目（８６）にて接続し、
前記切り込み線（８５）の外側の剥離紙（８４）の周縁部をエッジ部（８７）とし、
前記エッジ部（８７）を残して剥離紙（８４）を切り込み線（８５）より再剥離、再接着可能とし、
ティッシュペーパーを収納した箱（７１）の上面の上ぶた（７２）に前記粘着タックシート本体（８１）を用いていることを特徴とする粘着タックシート。
【発明の詳細な説明】
【技術分野】
【０００１】
本発明は、容器の表面に貼付するラベルの機能や、任意の箇所に再剥離可能に貼付するシールないしシートの機能や、衣服などに付着しているゴミを吸着させるエチケットシートの機能を持たせた粘着タックシートに関するものである。
【背景技術】
【０００２】
食べ物や飲み物のガラスやプラスティックの容器の表面には、自社の会社名、住所、商品名、内容、取り扱いの説明を記載したラベルやシールが貼付されている。このラベルあるいはシールは、紙、フィルムなどの粘着タックシートが使用されている。
【０００３】
現在、環境問題、資源リサイクルを踏まえ、企業および各家庭においても各種ビン等の容器に貼付されている粘着タックシートを剥離し、粘着タックシートと容器とを分別して資源ゴミの回収に強力しなければならない状況になっている。ところが、粘着タックシートのラベルなどは、容器に一旦貼り付けてしまうと、非常に剥離しにくいという問題がある。これは、容器に貼り付けてあるラベルの厚みが薄いことと、ラベルの接着剤とで相まって、爪で剥がそうとしても剥がしにくいからであり、また、無理矢理に剥がしても、大半が容器の表面に付着して綺麗に剥離することができないという問題がある。
【０００４】
また、従来より、衣服の表面に付着しているゴミをとるもので、ブラシ状で所謂エチケットブラシと呼ばれている商品があり、自宅から外出する際にこの商品でもって、衣服に付着しているゴミを簡単にとれるので、非常に重宝がられている。
しかしながら、その商品は、一般のブラシと同じくらいの大きさであり、外出の際に持って出るには大きすぎる大きさであり、外出の際には不便である。そして、一旦外出して衣服に付着しているゴミをとる場合には、手では簡単にとれない場合もある。
【０００５】
さらに、デッキブラシくらいの大きさで、先端のローラに粘着テープを着脱自在に巻き付けておき、床面上をローラを回転させることで、床面のゴミを吸着させる掃除用具もすでに販売されている。
しかしながら、この掃除用具もデッキブラシくらいの大きさ故に、掃除の際の収納箇所からの出し入れが不便であり、また、部屋の壁面等にもたれかけておく場合には、部屋内の美観を損ねてしまう。また、一部分のゴミだけを掃除する場合には、いちいち大きな掃除用具を取り出す必要があり、面倒であるという問題がある。
【発明の開示】
【発明が解決しようとする課題】
【０００６】
本発明は上述の問題点に鑑みて提供したものであって、少なくとも以下の目的を持った粘着タックシートを提供するものである。
（１）食べ物や飲み物のガラスやプラスティックの容器の表面にラベルとして貼付しても、容易に剥離することができること。
（２）衣服に付着しているゴミなどを容易に吸着でき、しかも、小さなシートで構成し、持ち運びに便利なようにすること。
（３）床面のゴミをとる場合にも、接着剤を利用して簡単にとることができ、しかも、小さなシートで構成し、収納箇所も不要とし、また、どこにでも貼り付けておくことができ、使い勝手の良い粘着タックシートを提供すること。
（４）冊子状のあぶらとり紙やメモ帳の表紙を粘着タックシートで構成し、表紙の有効利用を図ること。
（５）ティッシュペーパーの箱の上ぶたを粘着タックシートで構成し、上ぶたの有効利用を図ること。
【課題を解決するための手段】
【０００７】
そこで、本発明の請求項１に記載の粘着タックシートでは、紙またはフィルムからなるシートと、このシートの裏面の略全面にわたって再剥離強粘性の粘着剤がコーティングされた粘着剤層と、この粘着剤層に貼合されている再剥離可能な剥離紙とで粘着タックシート本体を構成し、
前記粘着タックシート本体の周縁部の一部を残して前記剥離紙が剥離可能に切り込み線を入れていることを特徴としている。
【０００８】
請求項２に記載の粘着タックシートでは、紙またはフィルムからなるシートと、このシートの裏面の略全面にわたって再剥離強粘性の粘着剤がコーティングされた粘着剤層と、この粘着剤層に貼合されている再剥離可能な剥離紙とで粘着タックシート本体を構成し、
前記粘着タックシート本体の周縁を残して前記剥離紙が剥離可能に切り込み線を入れ、この切り込み線の外側の周縁部をエッジ部とし、該エッジ部の幅を３〜５ｍｍとしていることを特徴としている。
【０００９】
請求項３に記載の粘着タックシートでは、前記請求項１または請求項２で形成された粘着タックシート本体１は、シート２、粘着剤層３及び剥離紙４で構成され、
前記剥離紙４の切り込み線５の外側のエッジ部６を残して剥離紙４を剥離した前記粘着タックシート本体１を、容器８の表面に粘着剤層３を介してラベルとして剥離自在に貼付していることを特徴としている。
【００１０】
請求項４に記載の粘着タックシートでは、前記請求項１または請求項２で形成された粘着タックシート本体１１は、シート１２、粘着剤層１３及び剥離紙１４とで構成され、
前記剥離紙１４の中央線１５の両側に該剥離紙１４の周縁部より内側に該周縁部に沿って切り込み線１７をそれぞれ入れると共に、前記切り込み線１７の端部間をミシン目１６にて接続し、
前記両切り込み線１７の外側の剥離紙１４の周縁部をエッジ部２０とし、
前記エッジ部２０を残して剥離紙１４を切り込み線１７より再剥離、再接着可能としていることを特徴としている。
【００１１】
請求項５に記載の粘着タックシートでは、前記粘着タックシート本体１１の大きさは手のひらサイズとすると共に、前記中央線１５にて折り曲げ自在とし、該粘着タックシート本体１１の形状は、略円形あるいは四角形状としていることを特徴としている。
【００１２】
請求項６に記載の粘着タックシートでは、前記請求項１または請求項２で形成された粘着タックシート本体４１は、シート４２、粘着剤層４３及び剥離紙４４とで構成され、
前記剥離紙４４の周縁部より内側に該周縁部に沿って切り込み線４５を入れると共に、該切り込み線４５の端部間をミシン目４６にて接続し、
前記切り込み線４５の外側の剥離紙４４の周縁部をエッジ部４７とし、
前記エッジ部４７を残して剥離紙４４を切り込み線４５より再剥離、再接着可能とし、
顔の皮脂を吸収するあぶらとり紙３２を多数枚で構成した冊子状のあぶらとり紙本体３１の表表紙３３あるいは裏表紙３４の少なくともいずれか一方に前記粘着タックシート本体４１を用いていることを特徴としている。
【００１３】
請求項７に記載の粘着タックシートでは、前記請求項１または請求項２で形成された粘着タックシート本体６１は、シート、粘着剤層及び剥離紙６４とで構成され、
前記剥離紙６４の周縁部より内側に該周縁部に沿って切り込み線６５を入れると共に、該切り込み線６５の端部間をミシン目６６にて接続し、
前記切り込み線６５の外側の剥離紙６４の周縁部をエッジ部６７とし、
前記エッジ部６７を残して剥離紙６４を切り込み線６５より再剥離、再接着可能とし、
メモ帳５１の表表紙５２あるいは裏表紙の少なくともいずれか一方に前記粘着タックシート本体６１を用いていることを特徴としている。
【００１４】
請求項８に記載の粘着タックシートでは、前記請求項１または請求項２で形成された粘着タックシート本体８１は、シート８２、粘着剤層８３及び剥離紙８４とで構成され、
前記剥離紙８４の周縁部より内側に該周縁部に沿って切り込み線８５を入れると共に、該切り込み線８５の端部間をミシン目８６にて接続し、
前記切り込み線８５の外側の剥離紙８４の周縁部をエッジ部８７とし、
前記エッジ部８７を残して剥離紙８４を切り込み線８５より再剥離、再接着可能とし、
ティッシュペーパーを収納した箱７１の上面の上ぶた７２に前記粘着タックシート本体８１を用いていることを特徴としている。
【発明の効果】
【００１５】
本発明の請求項１に記載の粘着タックシートによれば、端部でシートから剥離紙を剥離していて剥離紙の剥離が困難であった従来とは異なり、切り込み線の外側を下方に折り曲げることで、剥離紙の端部が少し浮き、この浮いた端部を持って剥離することで、剥離紙を簡単に剥離することができる。また、剥離紙を剥離した粘着タックシート本体を例えば、容器に貼付するラベルとして用いた場合、シートの裏面に残っている剥離紙は容器の表面に非接着となっているので、この部分を持って剥がすことで、シートを容易に剥がすことができる。したがって、例えば容器のラベルとして用いた場合には、容器からラベルを簡単に剥がすことができ、容器とラベルとを分別して資源ゴミとして回収することができる。
【００１６】
請求項２に記載の粘着タックシートによれば、端部でシートから剥離紙を剥離していて剥離紙の剥離が困難であった従来とは異なり、切り込み線の外側のエッジ部を下方に折り曲げることで、剥離紙の端部が少し浮き、この浮いた端部を持って剥離することで、剥離紙を簡単に剥離することができる。また、剥離紙を剥離した粘着タックシート本体を例えば、容器に貼付するラベルとして用いた場合、シートの裏面に残っている剥離紙の周縁のエッジ部は容器の表面に非接着となっているので、この部分を持って剥がすことで、シートを容易に剥がすことができる。したがって、例えば容器のラベルとして用いた場合には、容器からラベルを簡単に剥がすことができ、容器とラベルとを分別して資源ゴミとして回収することができる。
【００１７】
請求項３に記載の粘着タックシートによれば、シートの裏面に残っている剥離紙の周縁のエッジ部は容器の表面に非接着となっているので、この部分を持って剥がすことで、シートを容易に剥がすことができる。したがって、例えば容器のラベルとして用いた場合には、容器からラベルを簡単に剥がすことができ、容器とラベルとを分別して資源ゴミとして回収することができる。
【００１８】
請求項４に記載の粘着タックシートによれば、粘着タックシート本体１１を、衣服や床面のゴミを吸着させるのに使用する場合には、粘着タックシート本体１１の一方の右側の右剥離紙１４ａをミシン目１６を軸にして折り曲げる。そして、一方の右剥離紙１４ａを剥離してミシン目１６を軸にして略１８０度折曲して、右剥離紙１４ａを他方の左側の左剥離紙１４ｂの上に重ねる。この重ねた右剥離紙１４ａの部分を手で持って、露出した粘着剤層１３でもって衣服に付着しているゴミや床面に落ちているゴミを吸着させる。家庭内でゴミを吸着させた後に粘着タックシート本体１１は、ゴミを吸着させていない側の例えば左剥離紙１４ｂを剥離し、この左剥離紙１４ｂ側に対応した粘着剤層１３を、壁面や冷蔵庫、テレビ、食器棚の側面など、またデスクやロッカーなどの被接着面２１に貼り付けておくことで、収納箇所を不要とすることができる。また、ゴミをとる場合には、粘着タックシート本体１１が冷蔵庫などの家電製品に身近に貼ってあるので、直ぐに使用することでき、非常に使い勝手が良い。
また、粘着タックシート本体１１の一方の例えば右剥離紙１４ａを剥離し、露出した粘着剤層１３の下部にメモ用紙などの紙の上部に貼り付け、前記粘着剤層１３の上部を冷蔵庫の扉や側面、食器棚の側面やガラス戸などの被接着面に貼り付ける。これにより、粘着タックシート本体１１を留め具としての機能を十分に発揮させることができる。また、被接着面から粘着タックシート本体１１を剥がす場合にも、粘着剤層１３は再剥離可能な粘着剤を用いているので、容易に被接着面２１が剥がすことができる。また、紙から粘着タックシート本体１１を剥がす場合にも、粘着剤層１３により紙２２を破ることなく綺麗に剥がすことができる。さらに、再剥離可能な粘着剤層１３により、何回も使用することができ、しかも、低コストな留め具として提供することができる。このように、被接着面がある程度滑らかであれば、金属製、木製、ガラス製等の種類を問わず、どこにでも簡単に貼ることができる留め具の機能を持たせることができるものである。
【００１９】
請求項５に記載の粘着タックシートによれば、前記粘着タックシート本体１１の大きさは手のひらサイズとすると共に、前記中央線１５にて折り曲げ自在とし、該粘着タックシート本体１１の形状は、略円形あるいは四角形状としているので、一方の例えば右剥離紙１４ａを剥離して露出した粘着剤層１３にて衣服に付着しているゴミなどを容易に吸着することができ、しかも、粘着タックシート本体１１の大きさも小さいので、持ち運びが便利であり、また、収納箇所もポケットやバッグの中に入れても嵩張ることもない。
【００２０】
請求項６に記載の粘着タックシートによれば、あぶらとり紙本体３１の表紙に粘着タックシート本体４１を適用し、粘着タックシート本体４１の粘着剤層４３にて衣服に付着したゴミや床面に落ちているゴミをとることができる。また、粘着タックシート本体４１をあぶらとり紙本体３１の表紙に設けているので、別途に粘着タックシート本体４１のみを持つ必要がなく、さらには、別途に粘着タックシート本体４１を収納しておく箇所も不要である。よって、便利性の良いあぶらとり紙を提供することができる。また、今まであぶらとり紙３２を使い切った後は捨てていた表紙を粘着タックシート本体４１にて有効利用を図ることができる。
【００２１】
請求項７に記載の粘着タックシートによれば、メモ帳５１の表紙に粘着タックシート本体６１を適用し、粘着タックシート本体６１の粘着剤層６３にて衣服に付着したゴミや床面に落ちているゴミをとることができる。また、粘着タックシート本体６１をメモ帳５１の表紙に設けているので、別途に粘着タックシート本体６１のみを持つ必要がなく、さらには、別途に粘着タックシート本体６１を収納しておく箇所も不要である。よって、便利性の良いメモ帳５１を提供することができる。また、今までメモ用紙を使い切った後は捨てていた表紙を粘着タックシート本体６１にて有効利用を図ることができる。
【００２２】
請求項８に記載の粘着タックシートによれば、ティッシュペーパーの箱７１から上ぶた７２を取り除き、この取り除いた上ぶた７２にて粘着タックシートとして利用できる。また、特に、今まで直ぐに捨てられていた上ぶた７２に粘着タックシート本体８１の機能を持たせているので、上ぶた７２を有効利用でき、今までにない画期的な箱型のティッシュペーパーを提供することができる。
【発明を実施するための最良の形態】
【００２３】
（第１の実施の形態）
以下、本発明の実施の形態を図面（図１〜図８）を参照して詳細に説明する。図１は食べ物や飲み物を入れるガラスやプラスティック等からなる容器８の表面に本発明の粘着タックシート本体１を貼り付けた状態の図を示し、図２は該粘着タックシート本体１の背面図を、図３は粘着タックシート本体１の要部拡大断面図をそれぞれ示している。なお、この第１の実施形態では粘着タックシート本体１をラベルとして用いた場合である。
【００２４】
この粘着タックシート本体１は、図３に示すように、商品名、該商品を提供する自社の会社名、住所、内容、取り扱いの説明等を表面に記載したラベルとしてのシート２と、このシート２の裏面に略全面にわたって再剥離強粘性の粘着剤をコーティングした粘着剤層３と、この粘着剤層３に再剥離、再接着自在に貼合されている剥離紙４とで構成されている。
なお、この粘着タックシート本体１の形状は図示例では四角形状としているが、円形、楕円等任意の形状でも良いのは言うまでもない。
【００２５】
粘着タックシート本体１のシート２は、紙あるいはフィルムで構成されており、また、粘着剤層３は、再剥離強粘性の粘着剤を用いている。さらに、図２に示すように、剥離紙４の周縁部に沿って切り込み線５を入れており、この切り込み線５の外側の周囲のエッジ部６の幅を、例えば３〜５ｍｍとしている。
【００２６】
粘着タックシート本体１を容器８の表面に貼付する場合、先ず、図４に示すように、切り込み線５の箇所の剥離紙４の端部から剥離すると、図５に示すように、粘着タックシート本体１のエッジ部６を残して剥離紙４が剥離され、粘着剤層３が露出する。この粘着剤層３の面を容器８の表面に貼り付けることで、ラベルとしての機能を発揮する。
ここで、厚みの薄い粘着タックシート本体１は、従来では、シート２と剥離紙４とのエッジ部分から剥離する場合、剥離しにくい場合が多かったが、本発明では、切り込み線５の部分を中心にしてエッジ部６を曲げることで、図４に示すように、剥離紙４のコーナー部分が浮き上がり、そのため、剥離紙４の端部を掴み易くなり、エッジ部６を残して剥離紙４を容易に剥離することができる。
【００２７】
また、使用後に容器８を資源ゴミとして回収する場合、容器８からラベル、つまり粘着タックシート本体１を剥がす必要がある。かかる場合、本発明では、粘着タックシート本体１を容器８の表面に貼付した状態において、粘着タックシート本体１の裏面は、裏面の全面が容器８に接着されているのではなく、粘着タックシート本体１の裏面の周縁部には剥離紙４のエッジ部６が浮いた状態で貼付されている。
そのため、容器８から粘着タックシート本体１を剥がす場合には、図６に示すように、粘着タックシート本体１の縁部、例えば、コーナー部分を爪で引っ掻くように剥がすことで、粘着タックシート本体１を剥離することができる。しかも、粘着剤層３は再剥離可能な粘着剤を用いているので、容器８の表面に粘着剤を残すことなく、粘着タックシート本体１を容器８から綺麗に、且つ容易に剥離することができる。
【００２８】
このように、本実施形態では、容器８に貼付されている粘着タックシート本体１の一部を容易に掴むことができ、また、粘着剤層３の粘着剤を容器８の接着面に残すことなく、粘着タックシート本体１を綺麗に剥離することができ、容器８を資源ゴミとして回収する場合には、粘着タックシート本体１と容器８とを分別して回収することができる。
【００２９】
なお、先の実施形態では、剥離紙４のエッジ部６を周囲に設けていたが、これに限られるものではない。例えば、図７に示すように、剥離紙４のコーナー部分に斜めに切り込み線５を入れて、略三角形状のエッジ部６としても良い。この場合、エッジ部６の目印として図８に示すように、表のシート２のコーナー部分にマーク７を付けておくことで、このマーク７の部分が剥離する際の目印となって、粘着タックシート本体１を剥離する場合には、容易に剥離することができる。
【００３０】
また、エッジ部６の形状もこれらに限られるものではなく、粘着タックシート本体１の周縁の一部分に設けても良く、例えば、粘着タックシート本体１の両側だけや、上下の部分だけに設けたり、１辺のみエッジ部６を設けるようにしても良い。さらには、剥離紙４の縁部でエッジ部６を設けるのではなく、エッジ部６に該当する箇所に粘着剤層３を非形成としても良い。
【００３１】
（第２の実施の形態）
本実施形態では、剥離自在なシートや、衣服に付着しているゴミや床面のゴミをとる場合のエチケットシートの機能を持たせた粘着タックシートの場合について説明する。
【００３２】
図９は本実施形態の粘着タックシート本体１１の平面図を、図１０は粘着タックシート本体１１の裏面図を、図１１は粘着タックシート本体１１の要部拡大断面図をそれぞれ示している。この円形の粘着タックシート本体１１の大きさは、例えば、手のひらと略同じ大きさであり、ワイシャツの胸ポケットに入る大きさである。
粘着タックシート本体１１の構造は、基本的には先の実施形態と同様であり、図１１に示すように、紙またはフィルムからなるシート１２と、このシート１２の裏面に全面にわたって再剥離強粘性の粘着剤がコーティングされている粘着剤層１３と、この粘着剤層１３の裏面に再剥離、再接着可能に貼合されている剥離紙１４とで構成されている。
【００３３】
この粘着タックシート本体１１のシート１２の表面には、該粘着タックシート本体１１を販売、配布などの提供を行なう会社名、商品名、使用方法等印刷され、また、図１０に示すように、剥離紙１４の中央の中央線１５にて折り曲げができるようになっている。
この中央線１５の両側に該中央線１５に平行にミシン目１６が剥離紙１４に入れてあり、このミシン目１６の両端を結ぶようにして円弧状の切り込み線１７が入れてある。なお、ミシン目１６と切り込み線１７とで囲まれた左右の部分を右剥離紙１４ａ、左剥離紙１４ｂと称する。また、剥離紙１４の切り込み線１７より外側の周縁部分のエッジ部２０の幅は、例えば、３〜５ｍｍとしている。
【００３４】
この粘着タックシート本体１１は、中央線１５の部分で半分に折り曲げずに円形のまま衣服のポケットやバッグの中に収納しても良く、また、図１２に示すように中央線１５の部分で剥離紙１４側を内側にして半分に折り曲げてポケットやバッグの中に収納しても良い。
【００３５】
この粘着タックシート本体１１を、衣服や床面のゴミを吸着させるのに使用する場合には、図１３に示すように、粘着タックシート本体１１の一方、例えば右剥離紙１４ａをミシン目１６を軸にして折り曲げる。ここで、右剥離紙１４ａを剥離する場合、先の実施形態と同様にエッジ部２０の部分を下方に折り曲げると右剥離紙１４ａの端部が少し浮き、その浮いた端部を持って剥がしていくと右剥離紙１４ａを容易に剥離することができる。
【００３６】
そして、図１４及び図１５に示すように、右剥離紙１４ａを剥離してミシン目１６を軸にして略１８０度折曲して、右剥離紙１４ａを左剥離紙１４ｂの上に重ねる。この重ねた右剥離紙１４ａの部分を手で持って、露出した粘着剤層１３でもって衣服に付着しているゴミや床面に落ちているゴミを吸着させる。
適当にゴミを吸着させた後は、右剥離紙１４ａを元に戻して粘着剤層１３にくっつけて元の状態に戻す。そして、粘着タックシート本体１１を円形、あるいは半分に折り曲げてポケットやバッグの中に収納する。
【００３７】
なお、家庭内でゴミを吸着させた後に粘着タックシート本体１１は、図１６に示すように、ゴミを吸着させていない側の例えば左剥離紙１４ｂを剥離し、この左剥離紙１４ｂ側に対応した粘着剤層１３を、壁面や冷蔵庫、テレビ、食器棚の側面など、またデスクやロッカーなどの被接着面２１に貼り付けておくことで、収納箇所を不要とすることができる。また、ゴミをとる場合には、粘着タックシート本体１１が冷蔵庫などの家電製品に身近に貼ってあるので、直ぐに使用することでき、非常に使い勝手が良い。
【００３８】
また、右剥離紙１４ａに対応した粘着剤層１３で多くのゴミを吸着させた後は、反対側の左剥離紙１４ｂに対応した粘着剤層１３でゴミをとるようにする。なお、両方の粘着剤層１３でゴミを吸着させた後は、冷蔵庫などに貼り付けておくこは出来ないので、右剥離紙１４ａ、左剥離紙１４ｂを元に戻した状態で、収納するか、デスクの上などにそのまま置いておく。
【００３９】
このように本実施形態では、薄くて手のひらサイズの粘着タックシート本体１１とし、一方の例えば右剥離紙１４ａを剥離して露出した粘着剤層１３にて衣服に付着しているゴミなどを容易に吸着することができ、しかも、粘着タックシート本体１１の大きさも小さいので、持ち運びが便利であり、また、収納箇所もポケットやバッグの中に入れても嵩張ることもない。
【００４０】
また、床面のゴミをとる場合には、粘着タックシート本体１１の粘着剤層１３にて簡単にとることができ、しかも、小さいので、従来の掃除用具とは異なり収納箇所を不要にすることができる。さらに、ゴミを吸着させていない側の粘着剤層１３を壁面や冷蔵庫などの家電製品に貼り付けておくこともでき、収納箇所が不要で使い勝手の良い粘着タックシート本体１１を提供することができる。
【００４１】
なお、先の実施形態では、粘着タックシート本体１１を、ゴミをとる所謂エチケットシートのような機能を持たせた使用を行なっていたが、図１７では、粘着タックシート本体１１に留め具の機能を持たせた場合である。現状の留め具は、磁石（マグネット）を用いて、例えば冷蔵庫の扉や側面にメモ用紙などを磁力を利用して留めている。
しかし、磁石を用いた留め具は、磁性体の金属製でないと吸着できず、非磁性体の壁面や食器棚の壁面、ガラス戸などには吸着させることができない。
【００４２】
そこで、この実施形態では、被接着面がある程度滑らかであれば、金属製、木製、ガラス製等の種類を問わず、どこにでも簡単に貼ることができる留め具の機能を持たせたものである。
すなわち、図１７に示すように、粘着タックシート本体１１の一方の例えば右剥離紙１４ａを剥離し、露出した粘着剤層１３の下部にメモ用紙などの紙２２の上部に貼り付け、前記粘着剤層１３の上部を冷蔵庫の扉や側面、食器棚の側面やガラス戸などの被接着面２１に貼り付ける。
【００４３】
これにより、粘着タックシート本体１１を留め具としての機能を十分に発揮させることができる。また、被接着面２１から粘着タックシート本体１１を剥がす場合にも、粘着剤層１３は再剥離可能な粘着剤を用いているので、容易に被接着面２１が剥がすことができる。また、紙２２から粘着タックシート本体１１を剥がす場合にも、粘着剤層１３により紙２２を破ることなく綺麗に剥がすことができる。さらに、再剥離可能な粘着剤層１３により、何回も使用することができ、しかも、低コストな留め具として提供することができる。
【００４４】
先の例で説明した粘着タックシート本体１１は、円形としていたが、図１８及び図１９に示すように、四角形状の粘着タックシート本体１１としても良いのはもちろんである。エッジ部２０を形成し、また、両側に右剥離紙１４ａ、左剥離紙１４ｂなどを形成していることも先の粘着タックシート本体１１の場合と同様である。
【００４５】
（第３の実施の形態）
次に、図２０〜図２４により第３の実施形態について説明する。近年、顔の皮脂を吸収するあぶらとり紙が多く販売されており、多数枚のあぶらとり紙をパック詰めしたものや、多数枚のあぶらとり紙を冊子状にしたものなど種々のあぶらとり紙が販売されている。
【００４６】
図２０はかかる多数枚のあぶらとり紙３２を冊子状にしたあぶらとり紙本体３１の斜視図を示し、このあぶらとり紙本体３１は、表裏の表紙３３、３４の少なくともいずれか一方に前記粘着タックシート本体の機能を持たせたものである。この実施形態では、あぶらとり紙本体３１の表表紙３３を粘着タックシート本体４１で構成したものである。
この粘着タックシート本体４１の構成は、先の実施形態と同様に図２３に示すように、表表紙３３の上面側となるシート４２と、このシート４２の裏面の全面にわたって再剥離強粘性の粘着剤がコーティングされている粘着剤層４３と、この粘着剤層４３の裏面に再剥離、再接着可能に貼合されている剥離紙４４とで構成されている。
【００４７】
また、この粘着タックシート本体４１は、図２２に示すように、その剥離紙４４の周縁にコ字型の切り込み線４５を入れ、両切り込み線４５の端部間にミシン目４６を入れている。そして、一方を右剥離紙４４ａとし、他方を左剥離紙４４ｂとし、剥離紙４４の周縁部に幅を３〜５ｍｍとしたエッジ部４７を形成している。すなわち、基本的には先の実施形態の粘着タックシート本体１１と同様な粘着タックシート本体４１をあぶらとり紙本体３１の表表紙３３に適用したものである。
【００４８】
このあぶらとり紙本体３１の表表紙３３の粘着タックシート本体４１を使用する場合は、先の実施形態と同様にエッジ部４７を下方に折り曲げることで、例えば左剥離紙４４ｂの端部が少し浮き、この浮いた端部を持って剥離することで、左剥離紙４４ｂを容易に剥離することができる。そして、ミシン目４６の部分で左剥離紙４４ｂを右剥離紙４４ａ側に折り曲げ、露出した粘着剤層４３にて衣服に付着しているゴミや、床面に落ちているゴミを吸着させることで、エチケットシートの機能を持たせることができる。
【００４９】
なお、あぶらとり紙本体３１のあぶらとり紙３２を全て使い切った後は、表表紙３３を切断し、先の実施形態と同様に粘着タックシート本体４１自体として使用することができる。また、この粘着タックシート本体４１を裏表紙３４側に設けたり、表表紙３３と裏表紙３４とに粘着タックシート本体４１をそれぞれ設けるようにしても良い。
【００５０】
図２４は、表表紙３３の粘着タックシート本体４１の剥離紙４４を全体的に剥離できるようにした例であり、基本的にはその機能は図２２の場合と同様である。
【００５１】
このように本実施形態では、あぶらとり紙本体３１の表紙に粘着タックシート本体４１を適用し、粘着タックシート本体４１の粘着剤層４３にて衣服に付着したゴミや床面に落ちているゴミをとることができる。また、粘着タックシート本体４１をあぶらとり紙本体３１の表紙に設けているので、別途に粘着タックシート本体４１のみを持つ必要がなく、さらには、別途に粘着タックシート本体４１を収納しておく箇所も不要である。よって、便利性の良いあぶらとり紙を提供することができる。また、今まであぶらとり紙３２を使い切った後は捨てていた表紙を粘着タックシート本体４１にて有効利用を図ることができる。
【００５２】
（第４の実施の形態）
先の第３の実施形態では、粘着タックシート本体をあぶらとり紙本体３１の表紙に適用した場合であったが、本実施形態では、図２５及び図２６に示すように、メモ帳５１の表表紙５２に先の実施形態の粘着タックシート本体４１と同様の粘着タックシート本体６１を適用したものである。
図２６に示すように、メモ帳５１の表表紙５２の裏面側に剥離紙５４が来るように構成され、この粘着タックシート本体６１の構成は、図示はしないがメモ帳５１の表紙となるシートと、このシートの裏面の全面にわたって再剥離強粘性の粘着剤がコーティングされている粘着剤層と、この粘着剤層に再剥離、再接着可能に貼合されている剥離紙６４とで構成されている。
【００５３】
粘着タックシート本体６１の剥離紙６４の構成も先の実施形態と同様になっており、コ字型に入れた切り込み線６５の周縁を幅が３〜５ｍｍとしたエッジ部６７とし、切り込み線６５の両端間にミシン目６６を入れて、上剥離紙６４ａと下剥離紙６４ｂを形成している。
【００５４】
なお、この実施形態における機能及び効果は、あぶらとり紙本体３１に適用した場合と同様である。すなわち、メモ帳５１の表紙に粘着タックシート本体６１を適用し、粘着タックシート本体６１の粘着剤層６３にて衣服に付着したゴミや床面に落ちているゴミをとることができる。また、粘着タックシート本体６１をメモ帳５１の表紙に設けているので、別途に粘着タックシート本体６１のみを持つ必要がなく、さらには、別途に粘着タックシート本体６１を収納しておく箇所も不要である。よって、便利性の良いメモ帳５１を提供することができる。また、今までメモ用紙を使い切った後は捨てていた表紙を粘着タックシート本体６１にて有効利用を図ることができる。
【００５５】
また、図２６では、粘着タックシート本体６１をメモ帳５１の表表紙５２に適用した場合を示しているが、もちろん、裏表紙、あるいは表表紙５２と裏表紙にそれぞれ適用しても良いものである。
【００５６】
（第５の実施の形態）
次に、図２７〜図２９を用いて第５の実施形態について説明する。本実施形態では、ティッシュペーパーの箱７１に粘着タックシート本体を適用したものであり、特に箱７１の内部のティッシュペーパーを取り出すための取り出し穴を塞いでいる上ぶた７２に粘着タックシート本体８１を適用したものである。
【００５７】
すなわち、ティッシュペーパーの箱７１は周知のように、その上面に細帯状の上ぶた７２を取り除くようになっており、上ぶた７２の一方の切り取り片７３を指を突っ込んで上ぶた７２を取り除く。この上ぶた７２は、箱７１から取り除いた後は捨てられ、何らの利用価値も無かったが、本発明者は、この点に着目して、今まで捨てられていた上ぶた７２に利用価値を付与したものである。
【００５８】
図２８及び図２９に示すように、ティッシュペーパーの箱７１の上ぶた７２自体を粘着タックシート本体８１として構成したものであり、この粘着タックシート本体８１は、ティッシュペーパーの箱７１の紙材と同じ材料で構成したシート８２と、このシート８２の裏面の全面にわたって再剥離強粘性の粘着剤をコーティングした粘着剤層８３と、この粘着剤層８３の裏面に再剥離、再接着可能に貼合されている剥離紙８４とで構成されている。
【００５９】
剥離紙８４は上ぶた７２の大きさ及び形状が同じであり、切り取り片７３も剥離紙８４を含んでおり、上ぶた７２（粘着タックシート本体８１）には切り取り片７３が容易に切り取り可能なようにミシン目７４が設けてある。
そして、上ぶた７２の裏面側となる剥離紙８４の両側にはコ字型の切り込み線８５が入れてあり、両切り込み線８５の端部間にミシン目８６が入れてある。この両側の一方を右剥離紙８４ａとし、他方を左剥離紙８４ｂとする。また、切り込み線８５の周縁には幅を３〜５ｍｍとしたエッジ部８７を形成している。
【００６０】
この実施形態においても、粘着タックシート本体８１として使用する場合には、両側の切り取り片７３を取り除き、エッジ部８７を下方に折り曲げることで、例えば、右剥離紙８４ａの端部が浮き、この浮いた端部を持って右剥離紙８４ａを容易に剥離することができる。そして、ミシン目８６の部分で左剥離紙８４ｂが右剥離紙８４ａを折り曲げて、上記第２の実施形態の粘着タックシート本体１１の場合と同様に使用することができる。
【００６１】
したがって、この実施形態では、ティッシュペーパーの箱７１から上ぶた７２を取り除き、この取り除いた上ぶた７２にて第２の実施形態の粘着タックシート本体１１の場合と同様の効果を奏するものである。また、特に、本実施形態では、今まで直ぐに捨てられていた上ぶた７２に粘着タックシート本体８１の機能を持たせているので、上ぶた７２を有効利用でき、今までにない画期的な箱型のティッシュペーパーを提供することができる。
【００６２】
なお、上記各実施形態において、エッジ部は粘着タックシート本体の周縁部の全周に設けていたが、周縁部の一部に設けるようにしても良いものである。
【図面の簡単な説明】
【００６３】
【図１】本発明の第１の実施の形態における容器に粘着タックシート本体を貼り付けた状態を示す図である。
【図２】本発明の第１の実施の形態における粘着タックシート本体の背面図である。
【図３】本発明の第１の実施の形態における粘着タックシート本体の要部拡大断面図である。
【図４】本発明の第１の実施の形態における粘着タックシート本体のエッジ部を残して剥離紙を剥離する場合の説明図である。
【図５】本発明の第１の実施の形態におけるエッジ部を残して剥離紙を剥離した場合の粘着タックシート本体の背面図である。
【図６】本発明の第１の実施の形態における容器から粘着タックシート本体を剥離する場合の説明図である。
【図７】本発明の第１の実施の形態におけるエッジ部の他の例を示す粘着タックシート本体の背面図である。
【図８】本発明の第１の実施の形態におけるエッジ部の他の例を示す粘着タックシート本体の正面図である。
【図９】本発明の第２の実施の形態における粘着タックシート本体の平面図である。
【図１０】本発明の第２の実施の形態における粘着タックシート本体の裏面図である。
【図１１】本発明の第２の実施の形態における粘着タックシート本体の要部拡大断面図である。
【図１２】本発明の第２の実施の形態における粘着タックシート本体を半分の折り曲げた状態を示す図である。
【図１３】本発明の第２の実施の形態における粘着タックシート本体の使用状態を示す図である。
【図１４】本発明の第２の実施の形態における粘着タックシート本体の使用状態を示す図である。
【図１５】本発明の第２の実施の形態における粘着タックシート本体の使用状態を示す図である。
【図１６】本発明の第２の実施の形態における粘着タックシート本体を被接着面に貼り付けている状態を示す図である。
【図１７】本発明の第２の実施の形態における粘着タックシート本体を留め具として形成した場合の説明図である。
【図１８】本発明の第２の実施の形態における粘着タックシート本体の形状を四角形状とした場合の裏面図である。
【図１９】本発明の第２の実施の形態における粘着タックシート本体の形状を四角形状とした場合の平面図である。
【図２０】本発明の第３の実施の形態における粘着タックシート本体をあぶらとり紙本体の表紙に適用した場合の斜視図である。
【図２１】本発明の第３の実施の形態における粘着タックシート本体をあぶらとり紙本体の表紙に適用した場合の正面図である。
【図２２】本発明の第３の実施の形態におけるあぶらとり紙の表紙をあけた場合の平面図である。
【図２３】本発明の第３の実施の形態におけるあぶらとり紙の表紙の要部拡大断面図である。
【図２４】本発明の第３の実施の形態におけるあぶらとり紙の表紙に粘着タックシート本体を適用した場合の他の例の平面図である。
【図２５】本発明の第４の実施の形態における粘着タックシート本体をメモ帳の表紙に適用した場合の平面図である。
【図２６】本発明の第４の実施の形態におけるメモ帳の表紙を開けた場合の平面図である。
【図２７】本発明の第５の実施の形態におけるティッシュペーパーの箱の上ぶたに粘着タックシート本体を適用した場合の斜視図である。
【図２８】本発明の第５の実施の形態における上ぶたの裏面図である。
【図２９】本発明の第５の実施の形態における上ぶた（粘着タックシート本体）の要部拡大断面図である。
【符号の説明】
【００６４】
１  粘着タックシート本体
２  シート
３  粘着剤層
４  剥離紙
５  切り込み線
６  エッジ部
８  容器
１１  粘着タックシート本体
１２  シート
１３  粘着剤層
１４  剥離紙
１５  中央線
１６  ミシン目
１７  切り込み線
２０  エッジ部
３１  あぶらとり紙本体
３２  あぶらとり紙
３３  表表紙
３４  裏表紙
４１  粘着タックシート本体
４２  シート
４３  粘着剤層
４４  剥離紙
４５  切り込み線
４６  ミシン目
４７  エッジ部
５１  メモ帳
５２  表表紙
６１  粘着タックシート本体
６４  剥離紙
６５  切り込み線
６６  ミシン目
６７  エッジ部
７１  箱
７２  上ぶた
８１  粘着タックシート本体
８２  シート
８３  粘着剤層
８４  剥離紙
８５  切り込み線
８６  ミシン目
８７  エッジ部
【図１】
2006077182.tif 000003
【図２】
2006077182.tif 000004
【図３】
2006077182.tif 000005
【図４】
2006077182.tif 000006
【図５】
2006077182.tif 000007
【図６】
2006077182.tif 000008
【図７】
2006077182.tif 000009
【図８】
2006077182.tif 000010
【図９】
2006077182.tif 000011
【図１０】
2006077182.tif 000012
【図１１】
2006077182.tif 000013
【図１２】
2006077182.tif 000014
【図１３】
2006077182.tif 000015
【図１４】
2006077182.tif 000016
【図１５】
2006077182.tif 000017
【図１６】
2006077182.tif 000018
【図１７】
2006077182.tif 000019
【図１８】
2006077182.tif 000020
【図１９】
2006077182.tif 000021
【図２０】
2006077182.tif 000022
【図２１】
2006077182.tif 000023
【図２２】
2006077182.tif 000024
【図２３】
2006077182.tif 000025
【図２４】
2006077182.tif 000026
【図２５】
2006077182.tif 000027
【図２６】
2006077182.tif 000028
【図２７】
2006077182.tif 000029
【図２８】
2006077182.tif 000030
【図２９】
2006077182.tif 000031